(57)【要約】【目的】  本発明は、ネジ止めするときに、相手方コネクタの取付部に回転トルクが付与されることを防止することができるコネクタモジュールを提供する。【構成】  コネクタモジュールＭは、ボディ４００と、カバー６００と、位置固定部７００とを備えている。ボディ４００は、第１面４１１と、ネジ孔４１４とを有する。第１面４１１は、相手方コネクタＣとモジュールＭとが接続された状態でコネクタＣの取付部４０に当接可能である。ネジ孔４１４は第１面４１１に設けられている。ネジ孔４１４は、第１面４１１に当接した取付部４０の挿入孔４３に対向可能である。カバー６００は、第１面４１１に当接した取付部４０を覆う。カバー６００は貫通孔６３０を有する。貫通孔６３０は、カバー６００に覆われた取付部４０の挿入孔４３に対向可能である。位置固定部７００は、取付部４０を覆ったカバー６００を第１面４１１上で位置固定可能な構成である。【選択図】      図３Ａ
2015179568.tif 000002
【特許請求の範囲】
【請求項１】
相手方コネクタに接続可能なコネクタモジュールにおいて、
ボディと、
カバーと、
位置固定部とを備えており、
前記ボディは、前記相手方コネクタと前記コネクタモジュールとが接続された状態で前記相手方コネクタの取付部に直接的又は間接的に当接可能な第１面と、
前記第１面に設けられており且つ前記第１面に直接的又は間接的に当接した前記取付部の挿入孔に対向可能なネジ孔とを有しており、
前記カバーは、前記第１面に直接的又は間接的に当接した前記取付部を覆うことが可能であり、前記カバーは、当該カバーを貫通しており且つ当該カバーに覆われた前記取付部の前記挿入孔に対向可能である貫通孔を有しており、
前記位置固定部は、前記取付部を覆った前記カバーを前記ボディに位置固定可能な構成となっているコネクタモジュール。
【請求項２】
請求項１記載のコネクタモジュールにおいて、
前記カバーは、前記第１面に直接的に当接した前記取付部に直接的に当接可能であり、
前記カバーの前記貫通孔は、当該カバーに直接的に当接された前記取付部の前記挿入孔に連通可能であり、
前記位置固定部は、前記取付部に直接的に当接した前記カバーを前記ボディに位置固定可能な構成となっているコネクタモジュール。
【請求項３】
請求項１〜２の何れかに記載のコネクタモジュールにおいて、
前記位置固定部は、前記ボディに設けられており且つ前記カバーをカバー位置と退避位置との間で回動自在に又はスライド自在に保持する保持部と、
前記ボディに設けられており且つ前記カバーを前記カバー位置で係合可能な係合部とを有しており、
前記カバー位置は、前記カバーが前記第１面に直接的又は間接的に当接した前記取付部を覆う位置であり、
前記退避位置は、前記カバーが前記第１面に直接的又は間接的に当接した前記取付部を開放する位置であるコネクタモジュール。
【請求項４】
請求項１〜２の何れかに記載のコネクタモジュールにおいて、
前記位置固定部は、前記ボディに設けられており且つ前記取付部を覆った前記カバーに係合可能である係合部を有しているコネクタモジュール。
【請求項５】
請求項３〜４の何れかに記載のコネクタモジュールにおいて、
前記係合部及び前記カバーの何れか一方が係合凸部を有しており、他方が前記係合凸部を係合可能な係合孔又は係合凹部を有しているコネクタモジュール。
【請求項６】
請求項１〜２の何れかに記載のコネクタモジュールにおいて、
前記ボディは、当該ボディに設けられた係合孔又は係合凹部を更に有しており、
前記位置固定部は、係合ピンを有し、
前記係合ピンが、前記係合孔又は前記係合凹部に係合された状態で、前記取付部を覆った前記カバーに係合可能であるコネクタモジュール。
【請求項７】
請求項１〜６の何れかに記載のコネクタモジュールにおいて、
前記相手方コネクタに接続可能な接続部を更に備えており、
前記ボディは、前記第１面に設けられており且つ前記接続部を少なくとも部分的に収容する開口を更に有しているコネクタモジュール。
【請求項８】
請求項１〜６の何れかに記載のコネクタモジュールにおいて、
前記ボディの前記第１面から少なくとも部分的に突出しており且つ前記相手方コネクタに接続可能な接続部を更に備えているコネクタモジュール。
【請求項９】
コネクタモジュールに接続可能な相手方コネクタにおいて、
取付部と、
カバーと、
位置固定部とを備えており、
前記取付部は、前記コネクタモジュールと前記相手方コネクタとが接続された状態で前記コネクタモジュールのボディの第１面に直接的又は間接的に当接可能であり、前記取付部は、挿入孔を有しており、
前記挿入孔は、前記取付部が前記ボディの前記第１面に直接的又は間接的に当接した状態で、前記ボディの前記第１面に設けられたネジ孔に対向可能であり、
前記カバーは、前記第１面に直接的又は間接的に当接した前記取付部を覆うことが可能であり、前記カバーは、当該カバーを貫通しており且つ当該カバーに覆われた前記取付部の前記挿入孔に対向可能である貫通孔を有しており、
前記位置固定部は、前記取付部を覆った前記カバーを前記ボディに位置固定可能な構成となっている相手方コネクタ。
【請求項１０】
請求項９記載の相手方コネクタにおいて、
前記カバーは、前記第１面に直接的に当接した前記取付部に直接的に当接可能であり、
前記カバーの前記貫通孔は、当該カバーに直接的に当接された前記取付部の前記挿入孔に連通可能であり、
前記位置固定部は、前記取付部に直接的に当接した前記カバーを前記ボディに位置固定可能な構成となっているコネクタモジュール。
【請求項１１】
請求項９〜１０の何れかに記載の相手方コネクタにおいて、
前記コネクタモジュールに接続可能な接続部を更に備えており、
前記取付部は、前記接続部の周りに配置されている相手方コネクタ。
【請求項１２】
コネクタモジュールと、
前記コネクタモジュールに接続可能な相手方コネクタと、
カバーと、
位置固定部と、
ネジとを備えており、
前記コネクタモジュールは、ボディを有しており、
前記ボディは、第１面と、
前記第１面に設けられたネジ孔とを有しており、
前記相手方コネクタは、当該相手方コネクタと前記コネクタモジュールとが接続された接続状態で、当該コネクタモジュールの前記ボディの前記第１面に直接的又は間接的に当接可能な取付部と、
前記取付部を貫通しており且つ前記接続状態で前記ボディの前記ネジ孔に対向可能な挿入孔とを有しており、
前記カバーは、前記第１面に直接的又は間接的に当接した前記取付部を覆うことが可能であり、前記カバーは、当該カバーを貫通しており且つ当該カバーに覆われた前記取付部の前記挿入孔に対向可能である貫通孔を有しており、
前記位置固定部は、前記取付部を覆った状態の前記カバーを前記ボディに位置固定可能な構成であり、
前記ネジは、前記接続状態で、前記カバーの前記貫通孔及び前記取付部の前記挿入孔に挿通され、前記ネジ孔に螺着可能なネジ部と、
前記カバーに当接可能なヘッドとを有しているコネクタモジュールと相手方コネクタとの接続構造。
【請求項１３】
請求項１２記載のコネクタモジュールと相手方コネクタとの接続構造において、
前記カバーは、前記第１面に直接的に当接した前記取付部に直接的に当接可能であり、
前記カバーの前記貫通孔は、当該カバーに直接的に当接された前記取付部の前記挿入孔に連通可能であり、
前記位置固定部は、前記取付部に直接的に当接した前記カバーを前記ボディに位置固定可能な構成となっているコネクタモジュールと相手方コネクタとの接続構造。
【請求項１４】
請求項１２〜１３の何れかに記載のコネクタモジュールと相手方コネクタとの接続構造において、
前記コネクタモジュールは接続部を更に備えており、
前記コネクタモジュールの前記接続部に接続可能な前記相手方コネクタは接続部を更に備えているコネクタモジュールと相手方コネクタとの接続構造。
【請求項１５】
請求項１４記載のコネクタモジュールと相手方コネクタとの接続構造において、
前記相手方コネクタの前記接続部が前記コネクタモジュールの前記接続部に接続された状態で、前記相手方コネクタの前記接続部が前記コネクタモジュールの前記接続部に対して前記第１面に沿う少なくとも一つの向に移動可能であるコネクタモジュールと相手方コネクタとの接続構造。
【請求項１６】
請求項１２〜１５の何れかに記載のコネクタモジュールと相手方コネクタとの接続構造において、
前記挿入孔の形が、前記ネジ孔及び前記貫通孔の形よりも大きいコネクタモジュールと相手方コネクタとの接続構造。
【請求項１７】
請求項１２〜１６の何れかに記載のコネクタモジュールと相手方コネクタとの接続構造において、
前記コネクタモジュールの前記ボディと前記相手方コネクタとの間に介在可能なシール部を更に備えているコネクタモジュールと相手方コネクタとの接続構造。
【発明の詳細な説明】
【技術分野】
【０００１】
本発明は、コネクタモジュール、相手方コネクタ及びコネクタモジュールと相手方コネクタとの接続構造に関する。
【背景技術】
【０００２】
従来の接続構造が下記特許文献１に記載されている。この接続構造は、コネクタモジュールと、相手方コネクタと、複数のネジとを含んでいる。コネクタモジュールは、ボディと、雌接続部と、雌接続部に設けられた取付部とを有している。ボディは、収容孔と、ネジ孔とを有している。雌接続部は、ボディの収容孔に部分的に収容されている。雌接続部の取付部は、ボディの収容孔の縁部に当接している。雌接続部の取付部には、ネジ孔に連通する挿入孔が設けられている。一方、相手方コネクタは、雄接続部と、この雄接続部に設けられた取付部とを有している。雄接続部の取付部にも、挿入孔が設けられている。雄接続部が雌接続部に接続された状態（接続状態）で、雄接続部の挿入孔及び雌接続部の挿入孔が相互に連通する。ネジが雄接続部の挿入孔及び雌接続部の挿入孔に挿入され、ネジ孔に螺着されている。
【先行技術文献】
【特許文献】
【０００３】
【特許文献１】特開２０１１−２０４５９７号公報
【発明の概要】
【発明が解決しようとする課題】
【０００４】
ネジが、雄接続部の挿入孔及び雌接続部の挿入孔に挿入され、ネジ孔に螺着されるとき、当該ネジのヘッドが雄接続部の取付部上を摺動する。この摺動により、雄接続部の取付部にネジの回転方向の回転トルクが付与されるため、上記接続状態で、相手方コネクタがコネクタモジュールに対して相対的に位置ずれしたり、相手方コネクタ及びコネクタモジュールに負荷がかかったりする可能性があった。
【０００５】
本発明は、上記事情に鑑みて創案されたものであって、その目的とするところは、ネジ止めするときに、相手方コネクタの取付部に回転トルクが付与されるのを防止することができるコネクタモジュール、相手方コネクタ及びコネクタモジュールと相手方コネクタとの接続構造を提供することにある。
【課題を解決するための手段】
【０００６】
上記課題を解決するために、本発明のコネクタモジュールは、相手方コネクタに接続可能である。このモジュールは、ボディと、カバーと、位置固定部とを備えている。前記ボディは、第１面と、ネジ孔とを有している。前記ボディの前記第１面は、前記相手方コネクタと前記コネクタモジュールとが接続された状態で前記相手方コネクタの取付部に直接的又は間接的に当接可能である。前記ネジ孔は、前記第１面に設けられている。前記ネジ孔は、前記第１面に直接的又は間接的に当接した前記取付部の挿入孔に対向可能である。前記カバーは、前記第１面に直接的又は間接的に当接した前記取付部を覆うことが可能である。前記カバーは貫通孔を有している。前記貫通孔は、前記カバーを貫通しており且つ当該カバーに覆われた前記取付部の前記挿入孔に対向可能である。前記位置固定部は、前記取付部を覆った前記カバーを前記ボディに位置固定可能な構成となっている。
【０００７】
このような態様のモジュールによる場合、相手方コネクタの取付部がボディにネジ止めされるとき、ネジの回転により生じる回転トルクが当該取付部に付与されるのを防止することができる。その理由は以下の通りである。カバーが、ボディの第１面に直接的又は間接的に当接した相手方コネクタの取付部を覆っている。この状態で、カバーの貫通孔が取付部の挿入孔に対向し且つ当該挿入孔がボディのネジ孔に対向する。ネジを貫通孔及び挿入孔に順次挿入し、ネジ孔に螺着させる。このとき、ネジの回転により生じる回転トルクはカバーに付与される。カバーは、位置固定部によって取付部を覆った状態でボディに位置固定されているので、カバーに付与された回転トルクが、カバーを通じて取付部に付与されることがない。
【０００８】
前記カバーは、前記第１面に直接的に当接した前記取付部に直接的に当接可能な構成とすることが可能である。前記カバーの前記貫通孔は、当該カバーに直接的に当接された前記取付部の前記挿入孔に連通可能な構成とすることが可能である。前記位置固定部は、前記取付部に直接的に当接した前記カバーを前記ボディに位置固定可能な構成とすることが可能である。
【０００９】
このような態様のモジュールに相手方コネクタが接続された状態で、当該相手方コネクタに外部から負荷がかかったとしても、当該負荷が当該モジュールにかかるのを抑制することができる。相手方コネクタの取付部がボディの第１面に直接的に当接し、カバーが取付部に直接的に当接するからである。換言すると、取付部がカバーとボディの第１面とに挟持されるため、相手方コネクタがモジュールに接続された状態で、相手方コネクタを通じて当該モジュールに負荷がかかるのを抑制することができる。
【００１０】
前記位置固定部は、保持部と、係合部とを有する構成とすることが可能である。前記保持部は、前記ボディに設けられており且つ前記カバーをカバー位置と退避位置との間で回動自在に又はスライド自在に保持する構成とすることが可能である。前記係合部は、前記ボディに設けられており且つ前記カバーを前記カバー位置で係合可能な構成とすることが可能である。前記カバー位置は、前記カバーが前記第１面に直接的又は間接的に当接した前記取付部を覆う位置とすることが可能である。前記退避位置は、前記カバーが前記第１面に直接的又は間接的に当接した前記取付部を開放する位置とすることが可能である。
【００１１】
このような態様のコネクタモジュールは、取付部を覆ったカバーを第１面上に容易に位置固定することできる。カバーを退避位置からカバー位置にかけて回動又はスライドさせるだけで、カバーが相手方コネクタの取付部を覆い且つ係合部に係合されるためである。
【００１２】
又は、前記位置固定部は、係合部を有する構成とすることが可能である。前記係合部は、前記ボディに設けられており且つ前記取付部を覆った前記カバーに係合可能である。このような態様のコネクタモジュールは、取付部を覆ったカバーを第１面上に容易に位置固定することできる。取付部を覆ったカバーが係合部に係合されるからである。
【００１３】
前記係合部及び前記カバーの何れか一方が係合凸部を有する構成とすることが可能である。他方が前記係合凸部を係合可能な係合孔又は係合凹部を有する構成とすることが可能である。
【００１４】
又は、前記ボディは、当該ボディに設けられた係合孔又は係合凹部を更に有する構成とすることが可能である。前記位置固定部は、係合ピンを有する構成とすることが可能である。前記係合ピンは、前記係合孔又は前記係合凹部に係合された状態で、前記取付部を覆った前記カバーに係合可能な構成とすることが可能である。
【００１５】
このような態様のコネクタモジュールは、取付部を覆ったカバーをボディに容易に位置固定することできる。係合ピンが係合孔又は係合凹部に係合され且つ取付部を覆ったカバーに係合するからである。
【００１６】
上記した何れかの態様のコネクタモジュールは、相手方コネクタに接続可能な接続部を更に備えた構成とすることが可能である。前記ボディは、開口を更に有する構成とすることが可能である。前記開口は、前記第１面に設けられており且つ前記接続部を少なくとも部分的に収容する構成とすることが可能である。又は、前記接続部は、前記ボディの前記第１面から突出した構成とすることが可能である。
【００１７】
本発明の相手方コネクタは、コネクタモジュールに接続可能である。この相手方コネクタは、取付部と、カバーと、位置固定部とを備えている。前記取付部は、前記コネクタモジュールと前記相手方コネクタとが接続された状態で前記コネクタモジュールのボディの第１面に直接的又は間接的に当接可能である。前記取付部は挿入孔を有している。前記挿入孔は、前記取付部が前記ボディの前記第１面に直接的又は間接的に当接した状態で、前記ボディの前記第１面に設けられたネジ孔に対向可能である。前記カバーは、前記第１面に直接的又は間接的に当接した前記取付部を覆うことが可能である。前記カバーは、当該カバーを貫通しており且つ当該カバーに覆われた前記取付部の前記挿入孔に対向可能である貫通孔を有している。前記位置固定部は、前記取付部を覆った前記カバーを前記ボディに位置固定可能な構成となっている。
【００１８】
このような態様の相手方コネクタによる場合、相手方コネクタの取付部がボディにネジ止めされるとき、ネジの回転により生じる回転トルクが当該取付部に付与されるのを防止することができる。その理由は以下の通りである。カバーが、ボディの第１面に直接的又は間接的に当接した取付部を覆っている。この状態で、カバーの貫通孔が取付部の挿入孔に対向し且つ当該挿入孔がボディのネジ孔に連通する。ネジを貫通孔及び挿入孔に順次挿入し、ネジ孔に螺着させる。このとき、ネジの回転トルクはカバーに付与される。カバーは、位置固定部によって取付部を覆った状態で位置固定されているので、カバーに付与された回転トルクが、カバーを通じて取付部に付与されることがない。
【００１９】
前記カバーは、前記第１面に直接的に当接した前記取付部に直接的に当接可能な構成とすることが可能である。前記カバーの前記貫通孔は、当該カバーに直接的に当接された前記取付部の前記挿入孔に連通可能な構成とすることが可能である。前記位置固定部は、前記取付部に直接的に当接した前記カバーを前記ボディに位置固定可能な構成とすることが可能である。
【００２０】
このような態様のモジュールに相手方コネクタが接続された状態で、当該相手方コネクタに外部から負荷がかかったとしても、当該負荷が当該モジュールにかかるのを抑制することができる。相手方コネクタの取付部がボディの第１面に直接的に当接し、カバーが取付部に直接的に当接するからである。換言すると、取付部がカバーとボディの第１面とに挟持されるため、相手方コネクタがモジュールに接続された状態で、相手方コネクタを通じて当該モジュールに負荷がかかるのを抑制することができる。
【００２１】
前記相手方コネクタは、前記コネクタモジュールに接続可能な接続部を更に備えた構成とすることが可能である。前記取付部は、前記接続部の周りに配置された構成とすることが可能である。
【００２２】
本発明の接続構造は、コネクタモジュールと、前記コネクタモジュールに接続可能な相手方コネクタと、カバーと、位置固定部と、ネジとを備えている。前記コネクタモジュールは、ボディを有している。前記ボディは、第１面と、前記第１面に設けられたネジ孔とを有している。前記相手方コネクタは、取付部と、挿入孔とを有している。前記取付部は、前記相手方コネクタと前記コネクタモジュールとが接続された接続状態で、当該コネクタモジュールの前記ボディの前記第１面に直接的又は間接的に当接可能である。前記挿入孔は、前記取付部を貫通しており且つ前記接続状態で前記ボディの前記ネジ孔に対向可能である。前記カバーは、前記第１面に直接的又は間接的に当接した前記取付部を覆うことが可能である。前記カバーは、当該カバーを貫通しており且つ当該カバーに覆われた前記取付部の前記挿入孔に対向可能である貫通孔を有している。前記位置固定部は、前記取付部を覆った状態の前記カバーを前記ボディに位置固定可能な構成である。前記ネジは、ネジ部と、ヘッドとを有している。前記ネジ部は、前記接続状態で、前記カバーの前記貫通孔及び前記取付部の前記挿入孔とに挿通され、前記ネジ孔に螺着可能である。前記ヘッド部は、前記カバーに当接可能である。
【００２３】
このような態様の接続構造による場合、相手方コネクタの取付部がボディにネジ止めされるとき、ネジの回転により生じる回転トルクが当該取付部に付与されるのを防止することができる。その理由は以下の通りである。カバーが、ボディの第１面に直接的又は間接的に当接した相手方コネクタの取付部を覆っている。この状態で、カバーの貫通孔が取付部の挿入孔に対向し且つ当該挿入孔がボディのネジ孔に対向する。ネジを貫通孔及び挿入孔に順次挿入し、ネジ孔に螺着させる。このとき、ネジのヘッドがカバー上で摺動することによって生じる回転トルクがカバーに付与される。このカバーは、位置固定部によって取付部を覆った状態でボディに位置固定されているので、カバーに付与された回転トルクが、カバーを通じて取付部に付与されることがない。
【００２４】
前記カバーは、前記第１面に直接的に当接した前記取付部に直接的に当接可能な構成とすることが可能である。前記カバーの前記貫通孔は、当該カバーに直接的に当接された前記取付部の前記挿入孔に連通可能な構成とすることが可能である。前記位置固定部は、前記取付部に直接的に当接した前記カバーを前記ボディに位置固定可能な構成とすることが可能である。
【００２５】
このような態様のモジュールに相手方コネクタが接続された状態で、当該相手方コネクタに外部から負荷がかかったとしても、当該負荷が当該モジュールにかかるのを抑制することができる。相手方コネクタの取付部がボディの第１面に直接的に当接し、カバーが取付部に直接的に当接するからである。換言すると、取付部がカバーとボディの第１面とに挟持されるため、相手方コネクタがモジュールに接続された状態で、相手方コネクタを通じて当該モジュールに負荷がかかるのを抑制することができる。
【００２６】
前記コネクタモジュールは接続部を更に備えた構成とすることが可能である。前記相手方コネクタは接続部を更に備えた構成とすることが可能である。前記相手方コネクタの前記接続部は前記コネクタモジュールの前記接続部に接続可能な構成とすることが可能である。
【００２７】
前記相手方コネクタの前記接続部が前記コネクタモジュールの前記接続部に接続された状態で、前記相手方コネクタの前記接続部が前記コネクタモジュールの前記接続部に対して前記第１面に沿う少なくとも一つの方向に移動可能な構成とすることが可能である。
【００２８】
このような態様の接続構造による場合、接続状態で相手方コネクタの接続部がコネクタモジュールの接続部に対して前記一つの方向に移動可能である。しかし、相手方コネクタの取付部をボディにネジ止めするとき、ネジの回転により生じる回転トルクが当該取付部に付与されない。よって、この回転トルクによって、相手方コネクタがコネクタモジュールに対して一つの方向に位置ずれすることを防止することができる。
【００２９】
前記挿入孔の形が、前記ネジ孔及び前記貫通孔の形よりも大きくすることが可能である。このような態様の接続構造は、ネジを貫通孔及び挿入孔に順次挿入し、ネジ孔に螺着させ易くなる。
【００３０】
上記した何れかの態様の接続構造は、前記コネクタモジュールの前記ボディと前記相手方コネクタとの間に介在可能なシール部を更に備えた構成とすることが可能である。このような態様の接続構造は、シール部により前記コネクタモジュールの前記ボディと前記相手方コネクタとの間の気密性及び／又は水密性を向上させることができる。
【図面の簡単な説明】
【００３１】
【図１Ａ】本発明の実施例に係るコネクタモジュールと相手方コネクタとの接続構造の斜視図であって、前記コネクタモジュールのカバーがカバー位置に位置した状態の図である。
【図１Ｂ】前記接続構造の斜視図であって、前記コネクタモジュールの前記カバーが退避位置に位置した状態の図である。
【図２Ａ】前記接続構造の図１Ａ中の２Ａ−２Ａ断面図である。
【図２Ｂ】前記接続構造の図１Ｂ中の２Ｂ−２Ｂ断面図である。
【図３Ａ】前記接続構造の図１Ａ中の３Ａ−３Ａ断面図である。
【図３Ｂ】前記接続構造の図１Ｂ中の３Ｂ−３Ｂ断面図である。
【図４】前記コネクタモジュールの斜視図であって、前記コネクタモジュールの前記カバーが退避位置に位置した状態の図である。
【図５Ａ】前記モジュールの図４中の５Ａ−５Ａ断面図である。
【図５Ｂ】前記モジュールの図４中の５Ｂ−５Ｂ断面図である。
【図６Ａ】前記相手方コネクタの正面、平面及び右側面を表した斜視図である。
【図６Ｂ】前記相手方コネクタの背面、底面及び左側面を表した斜視図である。
【図６Ｃ】前記相手方コネクタの図６Ａ中の６Ｃ−６Ｃ断面図である。
【図７Ａ】前記相手方コネクタの設計変更を示す正面、平面及び右側面を表した斜視図である。
【図７Ｂ】前記設計変更例の相手方コネクタの背面、平面及び左側面を表した斜視図である。
【図８Ａ】前記接続構造の設計変更例を示す図１Ａ中の２Ａ−２Ａに対応する断面図である。
【図８Ｂ】前記設計変更例の接続構造の図１Ａ中の３Ａ−３Ａに対応する断面図である。
【発明を実施するための形態】
【００３２】
以下、本発明の実施例に係るモジュールと相手方コネクタとの接続構造について図１Ａ〜図６Ｂを参照しつつ説明する。図１Ａ及び図１Ｂに示す接続構造は、コネクタモジュールＭと、相手方コネクタＣと、一対のネジＳとを備えている。なお、図２Ａ〜図３Ｂに示すＺ−Ｚ’方向は、コネクタＣがモジュールＭに接続される接続方向である。図１Ａ〜図１Ｂ及び図３Ａ〜図３Ｂに示すＸ−Ｘ’方向は、Ｚ−Ｚ’方向に直角に交差する方向である。図１Ａ〜図２Ｂに示すＹ−Ｙ’方向は、Ｘ−Ｘ’方向及びＺ−Ｚ’方向に直角に交差する方向である。
【００３３】
以下、モジュールＭについて図１Ａ〜図５Ｂを参照しつつ説明する。モジュールＭは、接続部１００と、基板２００と、電子部品３００と、ボディ４００（特許請求の範囲のボディ）と、シール部５００と、カバー６００と、位置固定部７００とを備えている。
【００３４】
接続部１００は、図１Ａ〜図３Ｂに示されているように、コネクタＣの後述する接続部１０内に接続可能な六角柱状のコネクタである。接続部１００は、図４〜図５Ｂ最も良くに示されるように、ボディ１１０と、シェル１２０と、複数の端子１３０とを有している。
【００３５】
ボディ１１０は絶縁樹脂で構成されている。ボディ１１０は、図５Ａ及び図５Ｂに最も良く示されているように、基部１１１と、舌部１１２ａ、１１２ｂと、複数の保持孔１１３ａ、１１３ｂと、複数のスリット１１４ａ、１１４ｂとを有している。
【００３６】
基部１１１は、矩形状のブロックである。基部１１１は、Ｙ方向側の第１端部と、Ｙ’方向側の第２端部とを有している。舌部１１２ａは、基部１１１の前記第１端部からＺ方向に延びた矩形状の板である。舌部１１２ｂは、基部１１１の前記第２端部からＺ方向に延びた六角柱状の板である。
【００３７】
スリット１１４ａは、図２Ａ、図２Ｂ、図５Ａ及び図５Ｂに最も良く示されているように、舌部１１２ａにＸ−Ｘ’方向に間隔をあけて設けられている。スリット１１４ａは、Ｙ’方向側に開口している。スリット１１４ｂは、舌部１１２ｂにＸ−Ｘ’方向に間隔をあけて設けられている。スリット１１４ｂは、Ｙ’方向側に開口している。スリット１１４ｂは、スリット１１４ａの対称形状である。保持孔１１３ａは、図５Ａに最も良く示されているように、スリット１１４ａに連通するように基部１１１に設けられている。保持孔１１３ａは、Ｚ’方向に開口している。保持孔１１３ｂは、スリット１１４ｂに連通するように基部１１１に設けられている。保持孔１１３ｂは、保持孔１１３ａの対称形状であって、Ｚ’方向に開口している。
【００３８】
端子１３０は、図２Ａ及び図５Ａに最も良く示されているように、金属板である。端子１３０は、ベース１３１と、第１ビーム１３２と、第２ビーム１３３と、第１接点部１３４と、第２接点部１３５と、係合片１３６と、テール部１３７とを有している。ベース１３１は、Ｙ−Ｙ’方向に延びた板（前記金属板の一部）である。第１、第２ビーム１３２、１３３は、ベース１３１にＹ−Ｙ’方向に間隔をあけて設けられており且つベース１３１からＺ方向に延びた板（前記金属板の一部）である。第２ビーム１３３のＺ−Ｚ’方向の寸法は、第１ビーム１３２のＺ−Ｚ’方向の寸法よりも大きい。第１、第２ビーム１３２、１３３の並び方向（Ｙ−Ｙ’方向）に弾性変形可能である。
【００３９】
第１接点部１３４は、第１ビーム１３２のＺ方向の端部（先端部）から少なくとも前記並び方向の一方側（Ｙ方向又はＹ’方向側）に延びた板（前記金属板の一部）である。本実施例では、第１接点部１３４は、前記並び方向の一方（Ｙ方向又はＹ’方向）及びＺ’方向の成分を含む方向に延びている。第２接点部１３５は、第２ビーム１３３のＺ方向の端部から少なくとも前記並び方向の一方側に延びた板であって、第１接点部１３４のＹ方向側に位置している。本実施例では、第２接点部１３５は、前記並び方向の一方に延びている。第２接点部１３５の前記並び方向の一方側の先端は、第１接点部１３４の前記並び方向の一方側の先端と当該並び方向において略同じ高さ位置に位置している。又は第２接点部１３５の前記並び方向の一方側の先端は、第１接点部１３４の前記並び方向の一方側の先端よりも若干当該並び方向の一方側に位置している。
【００４０】
係合片１３６は、ベース１３１の第１端部に設けられ且つＺ方向に延びた板（前記金属板の一部）である。この係合片１３６には、前記並び方向の一方側に凸の突起が設けられている。テール部１３７は、ベース１３１の前記並び方向の他方側の端部に設けられ、当該並び方向の他方側に延びた板（前記金属板の一部）である。
【００４１】
端子１３０の係合片１３６の突起からベース１３１の第１端部の反対側の第２端部までのＹ−Ｙ’方向の寸法は、保持孔１１３ａ、１１３ｂのＹ−Ｙ’方向の寸法よりも若干大きい。端子１３０のうちの二つの端子１３０（図５Ａの上側の端子１３０）のベース１３１及び係合片１３６が、保持孔１１３ａに各々圧入され、保持されている。この端子１３０の第１、第２ビーム１３２、１３３が、スリット１１４ａに各々収容され、当該端子１３０の第１、第２接点部１３４、１３５がスリット１１４ａからＹ’方向側（図５Ａの図示下側）に各々突出している。この端子１３０のテール部１３７が、ボディ１１０のＺ方向側の端面に各々当接している。端子１３０のうちの残り二つの端子１３０（図５Ａの下側の端子１３０）のベース１３１及び係合片１３６が保持孔１１３ｂに各々圧入され、保持されている。この端子１３０の第１、第２ビーム１３２、１３３が、スリット１１４ｂに各々収容され、当該端子１３０の第１、第２接点部１３４、１３５がスリット１１４ｂからＹ方向側（図４Ａの図示上側）に突出している。この端子１３０のテール部１３７が、ボディ１１０のＺ方向側の端面に各々当接している。上側の端子１３０の第１、第２接点部１３４、１３５と、下側の端子１３０の第１、第２接点部１３４、１３５とが対向している。テール部１３７は基板２００に接続されている。
【００４２】
シェル１２０は、図４〜図５Ｂに最も良く示されているように金属板で構成された六角形の筒である。シェル１２０は、シェル本体１２１と、一対の脚部１２２とを有している。シェル本体１２１は六角形の筒である。シェル本体１２１の内形がボディ１１０の外形に対応している。シェル本体１２１内にボディ１１０が嵌合している。換言すると、シェル本体１２１がボディ１１０の外周を覆っている。シェル本体１２１のＸ方向側の壁と、シェル本体１２１のＸ’方向側の壁とを有している。シェル本体１２１のＸ方向側の壁と、シェル本体１２１のＸ’方向側の壁と、ボディ１１０の舌部１１２ａ、１１２ｂとによって、接続部１００の接続孔が区画されている。シェル本体１２１の外形は、相手方コネクタＣの後述する接続部１０の内形に対応している。シェル本体１２１が接続部１０内に嵌合可能となっている。
【００４３】
脚部１２２のうちの一方は、シェル本体１２１のＸ方向側の壁に設けられており且つ当該壁に対して略直角に折り曲げられている。他方は、シェル本体１２１のＸ’方向側の壁に設けられており且つ当該壁に対して略直角に折り曲げられている。この脚部１２２が基板２００に接続されている。
【００４４】
基板２００は、図５Ａ及び図５Ｂに最も良く示されているように、プリント基板である。基板２００は、第１面と、この第１面の反対側の第２面とを有している。基板２００の第１面に接続部１００が実装されている。基板２００の第２面に電子部品３００が実装されている。電子部品３００としては、例えば、自動車電装部品（例えば、自動車の後方及び／又は自動車周囲を撮影するために使用されるカメラユニット）等があるが、これに限定されない。
【００４５】
ボディ４００は、図５Ａ及び図５Ｂに最も良く示されているように、第１ケース４１０と、第２ケース４２０とを有している。第１ケース４１０は略矩形状の箱である。第１ケース４１０は、略矩形状の板である前部と、この前部の周縁部に立設された周壁部とを有している。前部は、第１面４１１（特許請求の範囲のボディの第１面）と、開口４１２と、収容溝４１３と、一対のネジ孔４１４とを有している。第１面４１１は、当該前部の正面（外面）であって、コネクタＣの後述する取付部４０に直接当接可能である。収容溝４１３は、前部の第１面４１１に設けられた環状の凹部である。矩形状の開口４１２は第１面４１１に設けられており且つ前部を貫通した孔である。開口４１２は、収容溝４１３内に配置されている。開口４１２の形は、接続部１００の外形及び相手方コネクタＣの接続部１０の外形よりも大きい。一対のネジ孔４１４のうちの一方は、第１面４１１の収容溝４１３よりもＸ方向側に設けられている。他方が第１面４１１の収容溝４１３よりもＸ’方向側の部分に設けられている。ネジ孔４１４には、ネジＳが螺着可能である。
【００４６】
第２ケース４２０は第１ケース４１０にＺ−Ｚ’方向で組み合わされた略矩形状の箱である。第２ケース４２０は、後部と、周壁部と、前記後部に設けられた一対の台とを有している。第２ケース４２０の周壁部は、後部の周縁部に立設されている。第２ケース４２０の周壁部が第１ケース４１０の周壁部に固着されている。組み合わされた第１、第２ケース４１０、４２０の内部空間に、接続部１００、基板２００及び電子部品３００が収容されている。第２ケース４２０の台は、後部上にＸ−Ｘ’方向に間隔をあけて設けられている。基板２００は、接続部１００の先端部（Ｚ方向側の端部）がボディ４００の開口４１２内に配置されるように、第２ケース４２０の台に固着されている。接続部１００は、開口４１２からボディ４００の外部に露出している。
【００４７】
位置固定部７００は、図４に最も良く示されるように、保持部７１０と、一対の係合部７２０とを有している。保持部７１０は、ボディ４００の第１面４１１の収容溝４１３よりもＹ方向側の部分に設けられた長尺状の凸部であって、Ｘ−Ｘ’方向に延びている。保持部７１０のＸ方向の端面には一方の軸部７１１が設けられている。一方の軸部７１１は、Ｘ方向に延びた円柱である。保持部７１０のＸ’方向の端面には他方の軸部７１１が設けられている。他方の軸部７１１はＸ’方向に延びた円柱である。一対の係合部７２０のうちの一方は、ボディ４００の第１面４１１の一方のネジ孔４１４よりもＹ’方向側の部分に設けられている。他方は、第１面４１１の他方のネジ孔４１４よりもＹ’方向側の部分に設けられている。一対のネジ孔４１４は、ボディ４００の第１面４１１に当接したコネクタＣの取付部４０の一対の挿入孔４３に連通可能（対向可能）である。係合部７２０はＺ方向に延びた円柱状の係合凸部である。Ｙ−Ｙ’方向における保持部７１０から一対の係合部７２０までの距離は、ボディ４００の第１面４１１に当接したコネクタＣの取付部４０のＹ−Ｙ’方向の寸法よりも各々大きい。Ｘ−Ｘ’方向における一方の係合部７２０から他方の係合部７２０までの距離は、ボディ４００の第１面４１１に当接した取付部４０の凸部４２のＸ−Ｘ’方向の寸法よりも大きい。
【００４８】
カバー６００は、図４〜図５Ｂに最も良く示されているように、保持部７１０にカバー位置と退避位置との間で回動自在に保持された金属板又は樹脂板等の板である。カバー６００のカバー位置は、図１Ａに最も良く示されるように、カバー６００がボディ４００の第１面４１１に当接したコネクタＣの取付部４０を覆う位置である。カバー６００は、カバー位置で第１面４１１に対して略平行である。カバー６００の退避位置は、図１Ｂ、図４〜図５Ｂに最も良く示されているように、カバー６００が第１面４１１に当接したコネクタＣの取付部４０を開放する位置である。カバー６００は、退避位置で第１面４１１に対して略直角である。
【００４９】
カバー６００は、カバー本体６１０と、軸支部６２０と、一対の貫通孔６３０と、一対の係合孔６４０とを有している。軸支部６２０は、連結板６２１と、一対の軸支板６２２とを有している。連結板６２１はＸ−Ｘ’方向に延びた略矩形状の板である。一対の軸支板６２２のうちの一方は、連結板６２１のＸ方向側の端に連結されており且つ当該連結板６２１に対して略直角に折り曲げられている。他方は、連結板６２１のＸ’方向側の端に連結されており且つ当該連結板６２１に対して略直角に折り曲げられている。軸支板６２２には各々軸孔が設けられている。軸孔に保持部７１０の軸部７１１が各々嵌合している。このようにしてカバー６００が保持部７１０の軸部７１１に回動自在に軸支されている。
【００５０】
カバー本体６１０は、連結板６２１に連接された略Ｕ字状の板であって、カバー６００がカバー位置に位置するとき、第１面４１１に当接した取付部４０を覆うことが可能になっている。より具体的には、カバー位置でカバー本体６１０がＺ方向側から取付部４０に当接可能となっている。カバー本体６１０には、略矩形状の切欠き６１１が設けられている。切欠き６１１は、カバー本体６１０の先端側に開放されている。切欠き６１１の形は、コネクタＣのモールド部２０の外形よりも大きい。カバー本体６１０が第１面４１１に当接した取付部４０を覆った場外で、カバー本体６１０の切欠き６１１内にモールド部２０が挿入されるようになっている。カバー本体６１０の切欠き６１１よりもＸ側の部分及びＸ’方向側の部分には、一対の貫通孔６３０が設けられている。貫通孔６３０はカバー本体６１０を当該カバー本体６１０の厚み方向に貫通している。貫通孔６３０の径は、ネジＳの外径よりも大きい。カバー位置で、貫通孔６３０の中心とボディ４００のネジ孔４１４の中心とがＺ−Ｚ’方向において一致し且つ貫通孔６３０がボディ４００の第１面４１１に当接したコネクタＣの取付部４０の一対の挿入孔４３に各々連通可能（対向可能）となっている。カバー本体６１０の一対の貫通孔６３０よりも先端側の部分には、一対の係合孔６４０が各々設けられている。係合孔６４０はカバー本体６１０を前記厚み方向に貫通しており且つカバー本体６１０の先端側に開放されている。カバー位置で係合孔６４０にボディ４００の係合部７２０が各々係合可能となっている。
【００５１】
シール部５００は、リング状のゴム等の弾性体である。シール部５００は収容溝４１３に収容されている。シール部５００のＺ方向の端面及びＺ’方向の端面にはリング状の突脈が設けられている。突脈を含むシール部５００の厚み寸法は収容溝４１３の深さ寸法よりも大きい。シール部５００の一部が収容溝４１３からＺ方向側に突出している。
【００５２】
以下、上述したコネクタモジュールＭの組み立て手順について説明する。まず、接続部１００を次のように組み立てる。ボディ１１０及び複数の端子１３０を用意する。その後、端子１３０のうちの二つの端子１３０をボディ１１０の二つの保持孔１１３ａに各々押し込む。すると、端子１３０のベース１３１及び係合片１３６が、保持孔１１３ａに各々保持される。このとき、端子１３０の第１、第２接点部１３４、１３５がスリット１１４ａに各々挿入され、第１、第２接点部１３４、１３５の先端部がスリット１１４ａから各々突出する。すなわち、第１、第２接点部１３４、１３５の先端部が接続部１００の接続孔内に各々配置される。端子１３０の第１、第２ビーム１３２、１３３が、スリット１１４ａに各々収容される。同様に、残りの二つの端子１３０をボディ１１０の保持孔１１３ｂ及びスリット１１４ａに各々挿入し、当該端子１３０をボディ１１０に保持させる。その後、シェル１２０を用意する。その後、ボディ１１０をシェル１２０内に嵌合させる。
【００５３】
その後、組み立てられた接続部１００、基板２００及び電子部品３００を用意する。その後、基板２００の第２面上に電子部品３００を、基板２００の第１面上に接続部１００を実装する。このとき、接続部１００の端子１３０のテール部１３７を基板２００の第１面上の電極に各々接続させると共に、シェル１２０の脚部１２２を基板２００の第１面上のグランド用の電極に半田接続させる。
【００５４】
その後、第２ケース４２０を用意する。その後、電子部品３００を第２ケース４２０内に収容させ、基板２００の第２面を第２ケース４２０の台に固定させる。その後、第１ケース４１０を用意する。その後、第１ケース４１０を第２ケース４２０に組み合わせる。具体的には、第１ケース４１０の周壁部と第２ケース４２０の周壁部とを突き合わせる。この第１、第２ケース４１０、４２０の組み合わせ時に、接続部１００の先端部が第１ケース４１０の開口４１２内に配置される。これにより、接続部１００が開口４１２から第１ケース４１０の外部に露出する。その後、第１ケース４１０の周壁部と第２ケース４２０の周壁部とを溶着させる。
【００５５】
その後、カバー６００を用意する。その後、ボディ４００の保持部７１０の一対の軸部７１１をカバー６００の軸支部６２０の一対の軸孔に嵌合させる。これにより、カバー６００が保持部７１０に回動自在に保持される。その後、シール部５００を用意する。カバー６００を退避位置に位置させ、シール部５００をボディ４００の収容溝４１３内に挿入する。このようにモジュールＭが組み立てられる。
【００５６】
以下、相手側コネクタＣについて図６Ａ〜図６Ｃを参照しつつ説明する。コネクタＣは、接続部１０と、モールド部２０と、ケーブル３０と、取付部４０とを備えている。
【００５７】
接続部１０は、ボディ１１と、複数の端子１２と、シールドケース１３とを有している。ボディ１１は、絶縁樹脂である。ボディ１１は、図６Ｃに最も良く示されているように、ベース１１ａと、突出部１１ｂと、支持部１１ｃとを有している。ベース１１ａはＹ−Ｙ’方向に延びた矩形状のブロックである。ベース１１ａのＹ−Ｙ’方向の両端部には開口が各々設けられている。突出部１１ｂは、ベース１１ａのＺ方向の端面に設けられており且つＺ方向に延びた板である。突出部１１ｂの外形は、コネクタモジュールＭの接続部１００の接続孔の形に対応した形状となっている。突出部１１ｂが、モジュールＭの接続部１００の接続孔内に挿入可能となっている。突出部１１ｂのＹ方向側の面には、図６Ａに示すように、一対の第１溝１１ａ１がＸ−Ｘ’方向に間隔をあけて設けられている。突出部１１ｂのＹ’方向側の面にも、一対の第１溝１１ａ１がＸ−Ｘ’方向に間隔をあけて設けられている。支持部１１ｃは、ベース１１ａのＺ’方向の端面に設けられており且つＺ’方向に延びた板である。支持部１１ｃのＹ方向側の面には、図６Ｃに示すように、一対の第２溝１１ｃ１がＸ−Ｘ’方向に間隔をあけて設けられている。支持部１１ｃのＹ’方向側の面にも、一対の第２溝１１ｃ１がＸ−Ｘ’方向に間隔をあけて設けられている。
【００５８】
各端子１２は、図６Ｃに最も良く示されているように、Ｚ−Ｚ’方向に延びた金属板である。端子１２は、中間部１２ａと、先端部１２ｂと、後端部１２ｃとを有している。中間部１２ａはボディ１１のベース１１ａに保持されている。先端部１２ｂは、中間部１２ａのＺ方向の端からＺ方向に延びている。先端部１２ｂは、ボディ１１の突出部１１ｂの対応する第１溝１１ａ１に挿入されている（図６Ａも参照）。後端部１２ｃは、中間部１２ａのＺ’方向の端からＺ’方向に延びている。後端部１２ｃは、ボディ１１の支持部１１ｃの対応する第２溝１１ｃ１内に挿入されている。
【００５９】
シールドケース１３は、図６Ｃに最も良く示されているように、金属板で構成されている。シールドケース１３は、その内形が接続部１００の外形に対応した六角形の筒である。シールドケース１３がモジュールＭのボディ４００の開口４１２に挿入され且つ接続部１００に外嵌可能になっている。シールドケース１３内にはボディ１１のベース１１ａが嵌合し、ボディ１１及び端子１２が収容されている。
【００６０】
ケーブル３０は、図６Ｃに最も良く示されているように、複数の信号線３１と、この信号線３１を被覆する外側絶縁体を有している。各信号線３１は、芯線３２と、この芯線３２を覆う内側絶縁体とを有している。信号線３１の長さ方向の一端部（突出部）は外側絶縁体から突出している。芯線３２の長さ方向の一端部（突出部）が信号線３１の一端部から突出している。この芯線３２の突出部分が端子１２の後端部１２ｃに半田接続されている。
【００６１】
モールド部２０は、接続部１０の後部（Ｚ方向側の部分）の周りを覆うと共に、接続部１０のシールドケース１３の後部（Ｚ方向側の部分）内に充填された絶縁樹脂である。モールド部２０は、ボディ１１の支持部１１ｃ、端子１２の後端部１２ｃ、シールドケース１３の後端部及びケーブル３０の長さ方向の一端部を保持している。具体的には、ボディ１１の支持部１１ｃ、端子１２の後端部１２ｃ、シールドケース１３の後端部及びケーブル３０の長さ方向の一端部がモールド部２０内にインサート成形によって埋め込まれている。接続部１０の前部は、モールド部２０からＺ’方向に突出している。
【００６２】
取付部４０は、モールド部２０の周りに設けられた略角環状の絶縁樹脂製の板であって、接続部１０の周りに配置されている。取付部４０はモジュールＭのボディ４００の第１面４１１に直接当接可能である。取付部４０は、取付部本体４１と、凸部４２と、一対の挿入孔４３とを有している。取付部本体４１はモールド部２０の周りに設けられた略角環状の板である。凸部４２は、取付部本体４１のＹ’方向の端部に連接されている。凸部４２のＸ−Ｘ’方向の寸法は取付部本体４１のＸ−Ｘ’方向の寸法よりも小さい。凸部４２は、取付部４０がボディ４００の第１面４１１に当接したとき、モジュールＭの係合部７２０間に配置可能である。挿入孔４３のうちの一方は、取付部本体４１のＸ方向側の端部に設けられている。他方は、取付部本体４１のＸ’方向側の端部に設けられている。挿入孔４３の形は、モジュールＭのカバー６００の貫通孔６３０の径及びボディ４００のネジ孔４１４の径よりも大きい。挿入孔４３は、取付部４０がボディ４００の第１面４１１に当接したとき、モジュールＭの貫通孔６３０及びネジ孔４１４に連通可能である。
【００６３】
各ネジＳは、ネジ部Ｓ１と、ヘッドＳ２とを有している。ネジ部Ｓ１は、モジュールＭのカバー６００の貫通孔６３０、コネクタＣの取付部４０の挿入孔４３に順次挿入され、モジュールＭのボディ４００のネジ孔４１４に螺着可能である。ヘッドは、カバー６００に当接可能である。
【００６４】
以下、相手方コネクタＣをコネクタモジュールＭに接続する手順について説明する。コネクタＣの接続部１０をモジュールＭのボディ４００の開口４１２に挿入させ、モジュールＭの接続部１００に接続させる。すると、接続部１０の端子１２が接続部１００の端子１３０の第１、第２接点部１３４、１３５に各々接触する。このとき、コネクタＣの取付部４０がモジュールＭのボディ４００の第１面４１１に当接する。第１面４１１に当接した取付部４０は、第１面４１１上の保持部７１０に対して間隙を有して配置されると共に、一対の係合部７２０に対して間隙を有して配置される。取付部４０の凸部４２が一対の係合部７２０の間に間隙を有して配置される。取付部４０の挿入孔４３がボディ４００のネジ孔４１４に各々連通する。シール部５００が取付部４０と第１面４１１との間で圧縮される。
【００６５】
その後、カバー６００を退避位置からカバー位置へ回動させる。すると、カバー６００の切欠き６１１にコネクタＣのモールド部２０が挿入されると共に、カバー６００がコネクタＣの取付部４０に当接し、当該取付部４０を覆う。すると、位置固定部７００の係合部７２０がカバー６００の係合孔６４０に各々係合される。これにより、カバー６００がボディ４００の第１面４１１上で位置固定部７００の保持部７１０及び係合部７２０に位置固定される。このとき、カバー６００の貫通孔６３０が取付部４０の挿入孔４３に連通する。
【００６６】
その後、一対のネジＳを用意する。その後、ネジＳのネジ部Ｓ１をカバー６００の貫通孔６３０及び取付部４０の挿入孔４３に各々挿入し、ボディ４００のネジ孔４１４に螺着させる。このとき、ネジＳのヘッドＳ２がカバー６００に当接し、当該カバー６００上で当該ネジＳの回転方向に摺動する。この摺動によって、前記回転方向の回転トルクがカバー６００に付与される。カバー６００は、保持部７１０及び係合部７２０によって取付部４０に覆った状態でボディ４００の第１面４１１上で位置固定されているので、カバー６００に付与された回転トルクが、カバー６００を通じて取付部４０に付与されることがない。このようにしてコネクタＣとモジュールＭが接続される（接続状態となる）。
【００６７】
上述したモジュールＭ、コネクタＣ及びこれらの接続構造は、以下の技術的特徴を有する。第１に、ネジＳの取り付け時に、ネジＳの回転により生じる回転トルクがコネクタＣの取付部４０に付与されないので、当該回転トルクによって、コネクタＣがモジュールＭに対して相対的に位置ずれしたり、コネクタＣの接続部１０及びモジュールＭの接続部１００に負荷がかかったりすることを防止することができる。なぜなら、回転トルクはカバー６００に付与されるが、カバー６００は位置固定部７００によって取付部４０に覆った状態でボディ４００の第１面４１１上で位置固定されているので、カバー６００に付与された回転トルクが、カバー６００を通じて取付部４０に付与されることがないからである。
【００６８】
第２に、上記接続状態でコネクタＣに外部からかかった負荷が、接続部１００にかかるのを抑制することができる。取付部４０がボディ４００の第１面４１１に当接し、カバー６００が取付部４０に当接しているからである。すなわち、取付部４０は、カバー６００とボディ４００の第１面４１１とに挟持されているので、接続状態でコネクタＣを通じて接続部１００に負荷がかかるのを抑制することができる。
【００６９】
第３に、上記接続状態で、ボディ４００のネジ孔４１４、取付部４０の挿入孔４３及びカバー６００の貫通孔６３０を連通させることが容易になる。よって、ネジＳを貫通孔６３０及び挿入孔４３に容易に挿入し、ネジ孔４１４に螺着させることが容易になる。ところで、モジュールＭの接続部１００が基板２００上に実装されるときに、モジュールＭの接続部１００が基板２００の所定位置から寸法交差内でＸ−Ｘ’方向及び／又はＹ−Ｙ’方向に位置ずれを起こす場合がある。このモジュールＭの接続部１００にコネクタＣの接続部１０が接続されると、接続部１０がモジュールＭの接続部１００に接続された状態でＸ−Ｘ’方向及び／又はＹ−Ｙ’方向に位置ずれを起こす。しかし、取付部４０の挿入孔４３の形がボディ４００のネジ孔４１４及びカバー６００の貫通孔６３０の径よりも大きいので、前記位置ずれが生じたとしても、接続状態で、ボディ４００のネジ孔４１４、取付部４０の挿入孔４３及びカバー６００の貫通孔６３０を容易に連通させることができる。
【００７０】
第３に、端子１３０と相手方コネクタＣの端子１２との接続信頼性が向上する。その理由は以下の通りである。端子１３０の第１、第２接点部１３４、１３５の双方が相手方コネクタＣの端子１２に接触している。第１、第２接点部１３４、１３５がＺ−Ｚ’方向に並んでいるため、第１、第２接点部１３４、１３５の少なくとも一方が相手方コネクタＣの端子１２に接触した状態を維持できる可能性が向上する。加えて、端子１３０の第１、第２ビーム１３２、１３３は長さが相違しているので、第１、第２ビーム１３２、１３３の固有振動数が相違する。よって、本接続構造に振動が加わったとしても、第１、第２ビーム１３２、１３３の振動が異なるため、第１、第２接点部１３４、１３５の何れか一方が相手方コネクタＣの端子１２に接触した状態を維持できる可能性が向上する。
【００７１】
なお、上述したコネクタモジュール、相手方コネクタ及び接続構造は、上記実施例に限定されるものではなく、特許請求の範囲の記載範囲において任意に設計変更することが可能である。以下、詳しく述べる。
【００７２】
本発明のコネクタモジュールは、ボディを備えており、前記ボディが、相手方コネクタと当該コネクタモジュールとが接続された接続状態で前記相手方コネクタの取付部に直接的又は間接的に当接可能な第１面と、前記第１面に設けられており且つ前記第１面に直接的又は間接的に当接した前記取付部の挿入孔に対向可能なネジ孔とを有する限り任意に設計変更することが可能である。例えば、コネクタモジュールは、上記実施例又は本明細書中の設計変更例のボディと、上記実施例又は本明細書中の設計変更例の接続部とを備えた構成とすることが可能である。本発明のコネクタモジュールのボディは、本明細書中の接続部のボディと一体化することが可能である。本発明のコネクタモジュールのボディは、ケース、多角柱や円柱状のブロック等であっても良い。本発明のコネクタモジュールのボディの開口及び／又は収容溝は省略可能である。
【００７３】
本発明のコネクタモジュールのボディの第１面は、スペーサ等を介して相手方コネクタの取付部に間接的に当接可能な構成とすることが可能である。この場合、ボディの第１面に設けられたネジ孔は、前記第１面に間接的に当接した前記取付部の挿入孔に対向可能であれば良い。
【００７４】
本発明のコネクタモジュールの接続部は、本発明の相手方コネクタの接続部に接続可能である限り任意に設計変更することが可能である。例えば、コネクタモジュールの接続部は、コネクタモジュールのボディ内に配置されており且つボディの第１面に設けられた開口から当該ボディの外部に露出する構成とすることが可能である。すなわち、コネクタモジュールの接続部は、ボディの開口内に配置されない構成とすることが可能である。又は、コネクタモジュールの接続部全体が、ボディの開口内に収容された構成とすることが可能である。又は、コネクタモジュールの接続部がボディの第１面に設けられた開口内に部分的に収容され、当該開口から部分的に突出した構成とすることが可能である。又は、コネクタモジュールの接続部は、ボディの第１面から少なくとも部分的に突出した構成とすることが可能である。より具体的には、コネクタモジュールの接続部のボディがコネクタモジュールのボディと一体的に構成されており、接続部がボディの第１面から少なくとも部分的に突出する構成とすることが可能である。この場合、ボディの開口は省略される。なお、コネクタモジュールの電子部品及び／又は基板も省略可能である。
【００７５】
本発明のコネクタモジュールの接続部の端子は、相手方コネクタの接続部の端子に接触し得る限り任意に設計変更することが可能である。例えば、コネクタモジュールの接続部の端子は、ベースと、ビームと、接点部と、テール部とを少なくとも備えた構成とすることが可能である。ベースは、コネクタモジュールの接続部のボディに保持されている。ビームはベースから延びている。接点部はビームの先端部に設けられており且つ相手方コネクタの接続部の端子に接触可能である。テール部は基板又はケーブルに接続可能である。また、コネクタモジュールの接続部の端子は、相手方コネクタＣの端子１２のような平板状としても良い。
【００７６】
本発明のコネクタモジュールの接続部のボディは、上述した何れかの態様の端子を保持し得る限り任意に設計変更することが可能である。本発明のコネクタモジュールの接続部のシェルは省略可能である。また、本発明のコネクタモジュールの接続部のシェルは、本発明のコネクタモジュールの接続部のボディの外周を少なくとも覆うことが可能である限り任意に設計変更することが可能である。
【００７７】
本発明の相手方コネクタは、以下の条件を備えている限り任意に設計変更することが可能である。第１は、相手方コネクタがコネクタモジュールに接続可能なコネクタであることである。第２は、相手方コネクタがコネクタモジュールのボディの第１面に直接的又は間接的に当接可能な取付部を備えていることである。第３は、前記取付部が挿入孔を有しており、前記挿入孔が、前記取付部が前記ボディの前記第１面に直接的又は間接的に当接した状態で、前記ボディの前記第１面に設けられたネジ孔に対向可能であることである。例えば、相手方コネクタは、本明細書中の接続部と、この接続部の周りに配置された取付部とを有する構成とすることが可能である。本発明の相手方コネクタの取付部は、複数であり、本明細書中の接続部周りに間隔をあけて配置された構成とすることが可能である。又は、図７Ａ及び図７Ｂに示すように相手方コネクタＣ’は、モールド部２０’が略Ｌ字状に折り曲げられた構成に設計変更することが可能である。この場合、モールド部２０’内部のケーブル３０の信号線及び芯線も略Ｌ字状に折り曲げられている。これ以外は、相手方コネクタＣ’は相手方コネクタＣと同じ構成である。相手方コネクタＣ’の取付部４０も、ボディ４００の第１面４１１にスペーサ等を介して間接的に当接する構成とすることが可能である。
【００７８】
本発明の相手方コネクタの接続部は、上述した何れかの態様のコネクタモジュールの接続部に接続可能である限り任意に設計変更することが可能である。例えば、相手方コネクタの接続部は、コネクタモジュールの接続部に接続された状態で、相手方コネクタの接続部がコネクタモジュールの接続部に対してボディの第１面に沿う少なくとも一つの方向に移動可能な構成とすることが可能である。その一例が、図８Ａ及び図８Ｂに示す相手方コネクタＣ’’である。相手方コネクタＣ’’の接続部１０’のシールドケース１３’のＹ方向側の内面からＹ’方向側の内面までのＹ−Ｙ’方向の寸法は、コネクタモジュールＭの接続部１００のＹ−Ｙ’方向の寸法よりも大きい。接続部１０’のシールドケース１３’のＸ方向側の内面からＸ’方向側の内面までのＸ−Ｘ’方向の寸法は、接続部１００のＸ−Ｘ’方向の寸法よりも大きい。この場合、相手方コネクタＣ’’の接続部１０’がモジュールＭの接続部１００に接続された状態で、相手方コネクタＣ’’の接続部１０’がモジュールＭの接続部１００に対してボディ４００の第１面４１１に沿うＹ−Ｙ’方向及び／又はＸ−Ｘ’方向の成分を含む方向に移動可能である。相手方コネクタＣ’’全体も接続部１０’の移動に応じてモジュールＭに対してＹ−Ｙ’方向及び／又はＸ−Ｘ’方向に移動可能である。しかし、取付部４０の挿入孔４３の形がボディ４００のネジ孔４１４及びカバー６００の貫通孔６３０の径よりも大きいので、前記移動が生じたとしても、ボディ４００の第１面４１１のネジ孔４１４、第１面４１１に当接した取付部４０の挿入孔４３及び取付部４０に当接したカバー６００の貫通孔６３０を容易に連通させることができる。しかも、カバー６００がボディ４００の第１面４１１に当接した相手方コネクタＣ’’の取付部４０に当接し、覆うので、ネジＳを、カバー６００の貫通孔６３０及び取付部４０の挿入孔４３に挿入し、ボディ４００のネジ孔４１４に螺着させるときに、ネジＳの回転によって生じる回転トルクが、取付部４０に付与されない。よって、回転トルクが取付部４０に付与され、相手方コネクタＣ’’が位置ずれを起こすのを防止することができる。相手方コネクタＣ’も接続部１０’を採用することが可能である。相手方コネクタＣ’’の取付部４０も、ボディ４００の第１面４１１にスペーサ等を介して間接的に当接する構成とすることが可能である。
【００７９】
本発明の相手方コネクタの接続部の端子は、上述した何れかの態様のコネクタモジュールの接続部の端子に接触し得る限り任意に設計変更することが可能である。例えば、相手方コネクタの接続部の端子は、ベースと、ビームと、接点部と、テール部とを少なくとも備えた構成とすることが可能である。ベースは、コネクタモジュールの接続部のボディに保持されている。ビームはベースから延びている。接点部はビームの先端部に設けられており且つ相手方コネクタの接続部の端子に接触可能である。テール部は基板又はケーブルに接続可能である。また、相手方コネクタの接続部の端子は、モジュールＭの端子１３０のような構成としても良い。なお、本発明の相手方コネクタの接続部は、端子に代えて、基板（接続対象）を有する構成とすることが可能である。この場合、基板の面上の導体が上述した何れかの態様のモジュールの接続部の端子に接触可能となる。
【００８０】
本発明の相手方コネクタの接続部のボディは、相手方コネクタの接続部の上述した何れかの態様の端子を保持し得る限り任意に設計変更することが可能である。本発明の相手方コネクタの接続部のシェルは省略可能である。また、本発明の相手方コネクタの接続部のシェルは、当該相手方コネクタのボディの外周を少なくとも覆うことが可能である限り任意に設計変更することが可能である。例えば、図７Ａ及び図７Ｂに示される相手方コネクタＣ’の場合、シールドケースの後端部を略Ｌ字状の筒とすることが可能である。
【００８１】
本発明のカバーは、上述した何れかの態様のボディの第１面に直接的又は間接的に当接した取付部を覆うことが可能であり、前記カバーは、当該カバーを貫通しており且つ当該カバーに覆われた前記取付部の挿入孔に対向可能である貫通孔を有する限り任意に設計変更することが可能である。例えば、本発明のカバーは、ボディに設けられた保持部によって、カバー位置と退避位置との間で回動自在に又はスライド自在に保持される構成とすることも可能である。本発明のカバーのカバー位置は、カバーがボディの第１面に直接的又は間接的に当接した相手方コネクタの取付部を覆う位置である限り任意に設計変更することが可能である。本発明のカバーの退避位置は、当該カバーがボディの第１面に直接的又は間接的に当接した取付部を開放し得る位置である限り任意に設計変更することが可能である。上記実施例又は上記設計変更例のカバーは、ボディの第１面に直接的又は間接的に当接した取付部を間隙をあけて覆ったり、ボディの第１面に直接的又は間接的に当接した取付部をスペーサ等を介して間接的に覆ったりする構成とすることが可能である。これらのカバーの貫通孔は、カバーに覆われた取付部の挿入孔に対向配置可能である。この場合であっても、カバーは取付部を覆った状態で位置固定部によってボディに位置固定されるため、カバーに付与された回転トルクが取付部に付与されるのを防ぐことができる。
【００８２】
また、上記実施例又は上記設計変更例のカバーは、コネクタモジュールと別体とすることが可能である。上述した何れかの態様のコネクタモジュール及び相手方コネクタの何れかが、別体のカバーを備えていても良い。
【００８３】
本発明の位置固定部は、取付部を覆ったカバーをボディに位置固定可能な構成である限り任意に設計変更することが可能である。例えば、本発明の位置固定部は、保持部と、少なくとも一つの係合部とを有する構成とすることが可能である。又は、本発明の位置固定部は、少なくとも一つの係合部を有する構成とすることが可能である。又は、本発明の位置固定部は、少なくとも一つの係合ピンを有する構成とすることが可能である。又は、本発明の位置固定部は、保持部と、少なくとも一つの係合ピンとを有する構成とすることが可能である。又は、本発明の位置固定部は、少なくとも一つの係合部と、少なくとも一つの係合ピンとを有する構成とすることが可能である。上記保持部は、ボディに設けられており且つカバーを上記カバー位置と上記退避位置との間で回動自在に又はスライド自在に保持する限り任意に設計変更することが可能である。前記保持部は、カバーがボディの第１面に対して平行に回動（旋回）するように保持する構成としても良い。上述した何れかの態様の保持部は、ボディの第１面に設けられていても良いし、ボディの第１面に対して交差する面（例えば、第１ケースの周壁部）に設けられていても良い。上記係合部は、ボディに設けられており且つカバーを上記カバー位置で係合可能である限り任意に設計変更することが可能である。例えば、係合部は、係合凸部、係合爪、係合孔及び係合凹部の少なくとも一つを有する構成とすることが可能である。係合凸部は、カバー位置でカバー、カバーの係合爪、カバーの係合孔又はカバーの係合凹部に係合される構成であれば良い。係合爪は、カバー位置でカバー、カバーの係合爪、カバーの係合孔又はカバーの係合凹部に係合される構成であれば良い。係合孔は、カバー位置でカバーの係合爪又はカバーの係合凸部を係合する構成であれば良い。係合凹部は、カバー位置でカバーの係合爪又はカバーの係合凸部を係合する構成であれば良い。これらの係合部は、ボディの第１面に設けられていても良いし、ボディの第１面に交差する面（例えば、第１ケースの周壁部）に設けられていても良い。前記保持部及び／又は前記係合部がボディの第１面以外の部分に設けられている場合、カバーは、ボディの第１面以外の部分に対向しうるように折り曲げられた構成とすると良い。前記係合ピンは、ボディと別体である。この係合ピンは、ボディの第１面又はボディの第１面に交差する面（例えば、第１ケースの周壁部）に設けられた係合孔又は係合凹部に係合された状態で、取付部を覆ったカバーに係合可能である構成とすれば良い。なお、本段落の取付部、カバー及びボディは、上述した何れかの態様とすると良い。
【００８４】
本発明のネジは、カバーの貫通孔及び取付部の挿入孔に順次挿入され、ボディの第１面に設けられたネジ孔に螺着可能であり且つ当該ネジをネジ孔に螺着させるときにカバーに回転トルクを付与し得る限り任意に設計変更することが可能である。よって、本発明のネジは、ボルト等を含む。
【００８５】
本発明のコネクタモジュールと相手方コネクタとの接続構造は、上述した何れかの態様のコネクタモジュール、相手方コネクタ、カバー、位置固定部及びネジを備えている限り任意に設計変更することが可能である。すなわち、シール部は省略可能である。本発明の接続構造は、カバー位置及び退避位置に位置した状態のカバーを保持するディテント機構を更に備えた構成とすることが可能である。
【００８６】
なお、上記実施例におけるコネクタモジュール、相手方コネクタ及び接続構造の各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。
【符号の説明】
【００８７】
Ｍ・・・・・・コネクタモジュール
１００・・・・接続部
１１０・・・ボディ
１１１・・基部
１１２ａ・舌部
１１２ｂ・舌部
１１３ａ・保持孔
１１３ｂ・保持孔
１１４ａ・スリット
１１４ｂ・スリット
１２０・・・シェル
１２１・・シェル本体
１２２・・脚部
１３０・・・端子
１３１・・ベース
１３２・・第１ビーム
１３３・・第２ビーム
１３４・・第１接点部
１３５・・第２接点部
１３６・・係合片
１３７・・テール部
２００・・・・基板
３００・・・・電子部品
４００・・・・ボディ（特許請求の範囲のボディ）
４１０・・・第１ケース
４１１・・第１面（特許請求の範囲のボディの第１面）
４１２・・開口
４１３・・収容溝
４１４・・ネジ孔
４２０・・・第２ケース
５００・・・・シール部
６００・・・・カバー
６１０・・・カバー本体
６１１・・切欠き
６２０・・・軸支部
６２１・・連結板
６２２・・軸支板
６３０・・・貫通孔
６４０・・・係合孔
７００・・・・位置固定部
７１０・・・保持部
７１１・・軸部
７２０・・・係合部
Ｃ・・・・・・相手方コネクタ
１０・・・・・接続部
１１・・・・ボディ
１１ａ・・ベース
１１ａ１・第１溝
１１ｂ・・突出部
１１ｃ・・支持部
１１ｃ１・第２溝
１２・・・・端子
１２ａ・・中間部
１２ｂ・・先端部
１２ｃ・・後端部
１３・・・・シールドケース
２０・・・・・モールド部
３０・・・・・ケーブル
３１・・・・信号線
３２・・・・芯線
４０・・・・・取付部
４１・・・・取付部本体
４２・・・・凸部
４３・・・・挿入孔
Ｓ・・・・・・ネジ
Ｓ１・・・・ネジ部
Ｓ２・・・・ヘッド
【図１Ａ】
2015179568.tif 000003
【図１Ｂ】
2015179568.tif 000004
【図２Ａ】
2015179568.tif 000005
【図２Ｂ】
2015179568.tif 000006
【図３Ａ】
2015179568.tif 000007
【図３Ｂ】
2015179568.tif 000008
【図４】
2015179568.tif 000009
【図５Ａ】
2015179568.tif 000010
【図５Ｂ】
2015179568.tif 000011
【図６Ａ】
2015179568.tif 000012
【図６Ｂ】
2015179568.tif 000013
【図６Ｃ】
2015179568.tif 000014
【図７Ａ】
2015179568.tif 000015
【図７Ｂ】
2015179568.tif 000016
【図８Ａ】
2015179568.tif 000017
【図８Ｂ】
2015179568.tif 000018